(57)【特許請求の範囲】
【請求項１】
ピンが固定された第１筐体と、
第１筐体に対向した対向面に、前記ピンが嵌る穴と第１溝と第２溝とがこの順で互いに繋がって設けられた第２筐体とを備え、
該第１溝は該ピンを該対向面に沿った第１方向に案内するものであり、該第２溝は該ピンを、該対向面に沿った、該第１方向とは異なる第２方向に案内するものであり、該穴は、該ピンの回転を案内するものであり、前記ピンの前記対向面に平行な断面の最大外形寸法は、前記第１及び第２溝の幅よりも大きいことを特徴とする筐体機構。
【請求項２】
前記ピンが、角が丸まった四角柱の形状を有し、前記第１及び第２の溝幅よりも大きく、前記穴内に収まる対角長を有するものであることを特徴とする請求項１記載の筐体機構。
【請求項３】
前記第１筐体と前記第２筐体の双方が、内部に電子部品を収納するものであり、
前記ピンが、前記第１筐体から前記第２筐体まで貫通した、該第１筐体内の電子部品と該第２筐体内の電子部品とを電気的に接続する接続配線を通す貫通穴が空いたものであることを特徴とする請求項１または２記載の筐体機構。
【請求項４】
前記第１筐体と前記第２筐体は、双方が、長さより狭い幅と、幅より狭い厚さとを有し、互いに、厚さ方向に重なり合った、互いに同等な長さと互いに同等な幅とを有するものであり、
前記第１溝は、前記ピンを前記第２筐体の長さ方向に案内する溝であり、
前記第２溝は、前記ピンを前記第２筐体の幅方向に案内する溝であり、
前記第１筐体と前記第２筐体は、前記ピンが前記第１溝と前記第２溝とが繋がった箇所にある場合に、長さ方向と幅方向とに互いの位置が揃うものであり、
前記穴は、前記ピンが前記第１溝に案内されて該穴に達した第１の位置と、該第１の位置から該ピンが９０度回転した第２の位置とで、該第２筐体から前記第１筐体が長さ方向にはみ出した長さが互いに同等になるとともに、該第２の位置では、該第１筐体から該第２筐体が幅方向にはみ出した長さが左右それぞれで同等になる箇所に設けられたものであることを特徴とする請求項１から３のいずれか１項記載の筐体機構。
【請求項５】
前記第１筐体と前記第２筐体とを相対的に付勢することで前記ピンを前記第１溝および前記第２溝それぞれの途中位置から端へと移動させる付勢部材を備えたことを特徴とする請求項１から４のいずれか１項記載の筐体機構。
【発明の詳細な説明】
【技術分野】
【０００１】
本件開示は、筐体機構に関する。
【背景技術】
【０００２】
従来より、携帯電話機やＰＨＳ端末などに代表される携帯情報端末が広く普及している。この携帯情報端末は、電子機器の一種であって通話機能を有している。
【０００３】
さらに携帯情報端末は、情報処理装置の一種でもあって、電子メール機能、デジタルカメラ機能、テレビ視聴機能、インターネット視聴機能、ゲーム機能などといった多種の機能を実行可能な装置である。そして、実際にそのような多種の機能を搭載した機種も存在する。
【０００４】
携帯情報端末には、上述したような様々な機能を実行するためにユーザが操作する操作部が用意されている。また、携帯情報端末の形状としては、一般的には、使用頻度が高い通話機能における利便性を考慮した縦長形状が採用されている。
【０００５】
近年では、液晶ディスプレイなどの表示画面の大型化が進む反面、携帯性の向上のために、携帯情報端末のコンパクト化が求められている。そのため、例えば、表示画面を有する上側筐体と操作部を有する下側筐体とをスライドさせてコンパクトにすることが可能なスライド式の携帯情報端末が知られている。また、上側筐体と下側筐体との間にヒンジを設け、折畳んでコンパクトにすることが可能な折畳み式の携帯情報端末も知られている。
【０００６】
ところで、上述したような多種の機能が携帯情報端末で実行可能になるのに従って、一般的な操作子や端末形状では、操作性や視認性に不満が生じる機能も増えている。例えばデジタルカメラ機能やテレビ視聴機能では、縦長の表示画面について視認性に不満が生じる場合がある。また、電子メール機能やゲーム機能では、通話機能用の操作部について操作性に不満が生じる場合がある。
【０００７】
このような現状に対し、上側筐体と下側筐体との相対位置を変更する自由度が高い装置構造が提案されている。このような相対位置を変更する自由度のことを以下では「変位性」と称する。変位性が高い装置構造の提案としては、例えば、スライド式の携帯電話機の表示画面を有する上側筐体を、操作部を有する下側筐体に対して回転させて、表示画面を横長配置にする構造が提案されている（特許文献１参照）。また、スライド式の携帯電話機の上側筐体を下側筐体に対して２方向にスライド可能とする構造も提案されている（特許文献２参照）
【先行技術文献】
【特許文献】
【０００８】
【特許文献１】特開２００９−２６０５１５号公報
【特許文献２】特表２００９−５３５８９６号公報
【発明の概要】
【発明が解決しようとする課題】
【０００９】
しかし、携帯情報端末の多機能化はますます進む傾向にあり、しかもコンパクト化の要求も依然として存在している。このため、従来提案の技術で実現可能な変位性を越える高い変位性を実現可能な簡易な構造が強く求められている。
【００１０】
上述した事情は、通話機能を有した機器に限定されない事情である。更には、操作部や表示画面も上述した事情の背景として必須ではなく、相対位置が変更可能な複数筐体で構成された電子機器であればどのような電子機器についても生じる事情である。
【００１１】
上記事情に鑑み、本件開示は、簡易な構造でいて変位性が高い筐体機構を提供することを目的とする。
【課題を解決するための手段】
【００１２】
上記目的を達成する筐体機構は、第１筐体と第２筐体とを備えている。
【００１３】
上記第１筐体は、ピンが固定されたものである。
【００１４】
上記第２筐体は、第１筐体に対向した対向面に、ピンが嵌る、穴と第１溝と第２溝とがこの順で互いに繋がって設けられたものである。そして、第１溝はピンを上記対向面に沿った第１方向に案内するものである。第２溝はピンを、上記対向面に沿った、第１方向とは異なる第２方向に案内するものである。穴は、第１溝の幅よりも大きな幅を有しピンの回転を案内するものである。そして、ピンの上記対向面に平行な断面の最大外形寸法は、第１溝の幅及び第２溝の幅より大きい。
【発明の効果】
【００１５】
本件開示によれば、簡易な構造でいて変位性が高い。
【図面の簡単な説明】
【００１６】
【図１】情報処理装置の一例に相当する携帯電話機を示す図である。
【図２】携帯電話機の閉じ状態を示す図である。
【図３】携帯電話機の第１の開き状態を示す図である。
【図４】携帯電話機の第２の開き状態を示す図である。
【図５】携帯電話機の第３の開き状態を示す図である。
【図６】変位機構を示す分解構成図である。
【図７】閉じ状態から第１の開き状態への変位動作を説明する図である。
【図８】閉じ状態から第２の開き状態への変位動作を説明する図である。
【図９】第２の開き状態から第３の開き状態への変位動作を説明する図である。
【図１０】第２の開き状態と第３の開き状態における上側筐体および下側筐体の相互位置を表す図である。
【図１１】上側筐体内の電子部品とケーブルを示した図である。
【図１２】下側筐体内の電子部品とケーブルを示した図である。
【図１３】上側筐体と下側筐体との相対的な変位に伴うケーブルへの物理的負荷を説明する図である。
【図１４】別実施形態におけるガイド構造等を示す図である。
【図１５】別実施形態における、第２の開き状態と第３の開き状態における上側筐体および下側筐体の相互位置を表す図である。
【発明を実施するための形態】
【００１７】
上記説明した筐体機構に対する具体的な実施形態を、以下図面を参照して説明する。
【００１８】
図１は、情報処理装置の一例に相当する携帯電話機を示す図である。
【００１９】
図１に示す携帯電話機１００は、筐体機構の一実施形態を備えている。この携帯電話機１００は、通話機能を有するほかに、電子メール機能、デジタルカメラ機能、テレビ視聴機能、インターネット視聴機能、ゲーム機能も有している。
【００２０】
この携帯電話機１００は、図１に示すように、表示画面１１１を有する上側筐体１１０と、第１操作部１２１および第２操作部１２２を有する下側筐体１２０とを備えている。下側筐体１２０は、上述した第１筐体の一例に相当する。また、上側筐体１１０は、上述した第２筐体の一例に相当する。上側筐体１１０と下側筐体１２０は、後で詳述する機構によって相互の位置を変更することができる。第２操作部１２２は、図１では全体の半分程度が見えているが、上側筐体１１０と下側筐体１２０との相互配置が別の配置になった場合には全体が見えることになる。上側筐体１１０が有している表示画面１１１は、上側筐体１１０の表面のうち、下側筐体１２０に対向している対向面とは逆の面に設けられている。一方、下側筐体１２０が有している第１操作部１２１および第２操作部１２２は、下側筐体１２０の表面のうち、上側筐体１１０に対向している面に設けられている。
【００２１】
下側筐体１２０が有している第１操作部１２１も第２操作部１２２も、操作キーが配列された操作部である。第１操作部１２１は、通話機能における番号入力操作などに適したキー配列を有する。第２操作部１２２は、電子メール機能における文字入力操作などに適したキー配列を有する。
【００２２】
以下の説明では、図１に示すＸＹＺ座標軸が表す方向を、方向の統一基準として用いる。ＸＹＺ座標軸におけるＸ方向は横方向と称する。そして、Ｘ軸の矢印が示す向きを右と称するとともに、その向きの逆向きを左と称する。ＸＹＺ座標軸におけるＹ方向は縦方向と称する。そして、Ｙ軸の矢印が示す向きを前と称するとともに、その向きの逆向きを後と称する。ＸＹＺ座標軸におけるＺ方向は上下方向と称する。そして、Ｚ軸の矢印が示す向きを上と称するとともに、その向きの逆向きを下と称する。
【００２３】
携帯電話機１００が備えている上側筐体１１０および下側筐体１２０は、いずれも直方体に近い形状となっており、いずれも長さより狭い幅と、幅より狭い厚さとを有している。また、上側筐体１１０および下側筐体１２０は、互いに同等な長さと互いに同等な幅とを有している。上側筐体１１０および下側筐体１２０の長さ方向は、上述したＸＹＺ座標軸におけるＹ方向(即ち縦方向）である。また、上側筐体１１０および下側筐体１２０の幅方向は、上述したＸＹＺ座標軸におけるＸ方向(即ち横方向）である。そして、上側筐体１１０および下側筐体１２０の厚さ方向は、上述したＸＹＺ座標軸におけるＺ方向(即ち上下方向）である。つまり、上側筐体１１０および下側筐体１２０は互いに厚さ方向に重なり合っていることとなる。
【００２４】
上側筐体１１０および下側筐体１２０の相互位置変更（即ち変位）を可能とする機構の説明は後に回して、先に、上側筐体１１０および下側筐体１２０が取り得る相互位置について以下説明する。
【００２５】
図２は、携帯電話機１００の閉じ状態を示す図である。
【００２６】
図２に示す閉じ状態は、携帯電話機１００として見ると、長さ方向の寸法と幅方向の寸法の双方が最も小さくなった状態である。換言すると、上側筐体１１０および下側筐体１２０の相互位置としては、相互の重なりが最も大きい相互位置ということになる。この閉じ状態は、携帯電話機１００の持ち運びに適した状態である。上述したように、上側筐体１１０および下側筐体１２０は、双方が、長さより狭い幅と、幅より狭い厚さとを有し、互いに、厚さ方向に重なり合ったものとなっている。このため、図２に示す閉じ状態でのコンパクト化が図られている。本実施形態では、この閉じ状態での一層のコンパクト化を図るために、上側筐体１１０および下側筐体１２０が、互いに同等な長さと互いに同等な幅とを有するものとなっている。
【００２７】
この閉じ状態は、下側筐体１２０に設けられた上述した第１操作部１２１および第２操作部１２２を用いなくても実行可能な、通話履歴やインターネット上の情報等の閲覧、時間の確認などでも利用される。
【００２８】
図３は、携帯電話機１００の第１の開き状態を示す図である。
【００２９】
図３に示す２つの状態のうち、左側に示された状態は上述した閉じ状態である。そして、図３に示す２つの状態のうち、右側に示された状態が第１の開き状態である。この第１の開き状態は、閉じ状態から上側筐体１１０が下側筐体１２０に対してＸ方向（横方向の右向き）にスライド移動した状態である。この第１の開き状態の携帯電話機１００では、下側筐体１２０に設けられている第２操作部１２２の全体が露わになっている。第１の開き状態では、ユーザは、第２操作部１２２が横長になる方向に携帯電話機１００を持つことで、パーソナルコンピュータにおけるキーボード操作に近い操作を行うことができる。そのため、電子メール機能で比較的長い文を作成する場合などは第１の開き状態が適している。
【００３０】
図４は、携帯電話機１００の第２の開き状態を示す図である。
【００３１】
図４に示す２つの状態のうち、左側に示された状態は上述した閉じ状態である。そして、図４に示す２つの状態のうち、右側に示された状態が第２の開き状態である。この第２の開き状態は、閉じ状態から上側筐体１１０が下側筐体１２０に対してＹ方向（縦方向の前向き）にスライド移動した状態である。
【００３２】
この第２の開き状態では、下側筐体１２０に設けられている第１操作部１２１の全体が露わになっている。また、携帯電話機１００のＹ方向(長さ方向)の寸法は、この第２の開き状態の場合に最長となる。このため、第２の開き状態は通話機能に適している。
【００３３】
図５は、携帯電話機１００の第３の開き状態を示す図である。
【００３４】
図５に示す３つの状態のうち、左端の状態は上述した第２の開き状態である。そして、図５に示す３つの状態のうち、右端の状態が第３の開き状態である。この第３の開き状態は、第２の開き状態から、図５で真ん中に示された状態を経て、上側筐体１１０が下側筐体１２０に対して反時計回りに９０度回転移動した状態である。第３の開き状態では、下側筐体１２０が縦長であるのに対して上側筐体１１０の表示画面１１１は横長となっている。このため、第３の開き状態は、ユーザが片手で携帯電話機１００を持ってテレビ視聴機能やデジタルカメラ機能を使う場合に適している。
【００３５】
以上、図３〜図５を参照して説明したように、本実施形態の携帯電話機１００では、上側筐体１１０は、下側筐体１２０に対して２方向へのスライド移動と回転移動が可能となっている。つまり、本実施形態の携帯電話機１００は変位性が高いと言える。また、図３〜図５を参照して説明した移動の結果、上側筐体１１０および下側筐体１２０はいつも同じ面をお互いに向けあっていることとなる。より詳細には、下側筐体１２０の、第１操作部１２１および第２操作部１２２が設けられている面が上側筐体１１０に対向している。そして、上側筐体１１０の、表示画面１１１とは逆の面が下側筐体１２０に対向している。操作部や表示画面がこのような面に設けられていることにより、下側筐体１２０に対する上側筐体１１０の移動で色々な操作形態や表示形態が得られることになる。従って本実施形態の携帯電話機１００は色々な機能に対する使い勝手がよい。
【００３６】
ところで、本実施形態では、携帯電話機１００の各状態が適している機能を実現するアプリケーションを自動的に起動させる工夫が施されている。本実施形態の携帯電話機１００には、下側筐体１２０に対する上側筐体１１０の位置を検出するセンサが備えられている。このセンサは本実施形態では特に特定しないが、例えば、下側筐体１１０と上側筐体１２０の一方に設けられたホールセンサやリードスイッチと、他方に設けられた磁石との組み合わせを採用することができる。携帯電話機１００は、このようなセンサで上側筐体１１０の位置を検出した検出結果を用いて、携帯電話機１００が上述した各状態のいずれの状態にあるのかを確認することができる。そして、携帯電話機１００は、確認した状態に適した機能を実現するアプリケーションを起動する。ここで、携帯電話機１００が起動するアプリケーションについては、各状態において頻繁に使用されると考えられるアプリケーションをメーカなどが予め設定しておいても良い。あるいは、そのようなアプリケーションは、ユーザが自由に設定できるものであってもよい。
【００３７】
各状態に対する機能の割り振りとしては、例えば、上記第１の開き状態にはメール作成機能が割り振られ、上記第２の開き状態には通話機能が割り振られ、上記第３の開き状態にはデジタルカメラ機能やテレビ視聴機能が割り振られる割り振りが考えられる。このような割り振りと上述した自動的な起動によって、ユーザが携帯電話機１００を変形（変位）させる度に、割り振られた機能が実現する。この結果、本実施形態の携帯電話機１００は、ユーザの使い勝手が良好な携帯電話機となっている。
【００３８】
以下、上述した各状態を実現するための、上側筐体１１０および下側筐体１２０の相互変位を可能とする変位機構について説明する。
【００３９】
図６は、変位機構を示す分解構成図である。
【００４０】
携帯電話機１００には、上側筐体１１０および下側筐体１２０の相互変位を可能とする変位機構が組み込まれている。この変位機構が、上述した筐体機構の一実施形態に相当する。上述したように、下側筐体１２０には、第１操作部１２１と第２操作部１２２が設けられている。そして、これらの操作部が設けられた面上には、固定板１３１が固定される固定部１２５も設けられている。そして、固定板１３１には下部フランジ１３２およびガイドピン１３３が一体化されている。ガイドピン１３３は角がやや丸まった略四角柱の形状を有している。そして、このガイドピン１３３の断面形状は長方形に近い、角がやや丸まった形状をしている。即ち、この断面形状は、互いに平行な１組の短辺と、互いに平行な１組の長辺とを有しているとともに、短辺と長辺とが互いに直交している。このガイドピン１３３は、下側筐体１２０に対してＺ方向（上下方向）の上向きに突出している。ガイドピン１３３の断面形状の長方形はＹ方向(即ち縦方向）に長くＸ方向(即ち横方向）に短い。
【００４１】
変位機構は、上側筐体１１０の筐体壁に組み込まれたガイド板１３６を備えている。このガイド板１３６には、ガイドピン１３３が嵌るガイド１３７が設けられている。このガイド１３７は、ガイド穴１３７ｃと第１ガイド溝１３７ａと第２ガイド溝１３７ｂとがこの順で連通したＬ字形状のものである。上側筐体１１０内には、ガイド１３７から内部が見えてしまうのを隠すために遮蔽板１１２が設けられている。上側筐体１１０内で表示画面１１１の表示処理などを担っている基板１１３は遮蔽板１１２より内側に配備されている。この基板１１３は、電子部品の一例に相当すると共に、情報を処理する処理回路の一例にも相当する。遮蔽板１１２にはケーブル穴１１２ａが空いているが、このケーブル穴１１２ａには、後で説明するケーブルが通る。
【００４２】
第１ガイド溝１３７ａはＹ方向(即ち縦方向）に延びた溝である。この第１ガイド溝１３７ａの間隔は、ガイドピン１３３の断面形状の長方形におけるＸ方向(即ち横方向）の幅が収まるがガイドピン１３３の回転はできない程度の間隔となっている。従って第１ガイド溝１３７ａはガイドピン１３３をＹ方向(即ち縦方向）に平行に案内する。
【００４３】
第２ガイド溝１３７ｂはＸ方向(即ち横方向）に延びた溝である。この第２ガイド溝１３７ｂの間隔は、ガイドピン１３３の断面形状の長方形におけるＹ方向(即ち縦方向）の幅が収まるがガイドピン１３３の回転はできない程度の間隔となっている。従って第２ガイド溝１３７ｂはガイドピン１３３をＸ方向(即ち横方向）に平行に案内する。
【００４４】
つまり、ガイド１３７には、ガイドピン１３３を上側筐体１１０の長さ方向に案内する第１ガイド溝１３７ａと、ガイドピン１３３を上側筐体１１０の幅方向に案内する第２ガイド溝１３７ｂが設けられていることになる。このようなガイド溝が設けられていることにより、本実施形態の携帯電話機１００は、操作性が大きく異なる上記第１の開き状態および上記第２の開き状態を実現することができる。
【００４５】
ガイド穴１３７ｃは円形の穴である。このガイド穴１３７ｃは、ガイドピン１３３の断面形状の長方形における対角方向の長さ（対角長）がちょうど収まる直径を有している。従って、このガイド穴１３７ｃは、ガイドピン１３３の回転を案内する。
【００４６】
ガイド１３７に対するガイドピン１３３の形状をまとめると次のようになる。
【００４７】
ガイドピン１３３は、略四角柱の形状を有し、第１ガイド溝１３７ａおよび第２ガイド溝１３７ｂの溝幅よりも大きく、ガイド穴１３７ｃ内に収まる対角長を有することとなる。このような形状のガイドピン１３３が採用されていることにより、本実施形態では、変位機構の構造が簡素で、かつ、ガイド１３７はガイドピン１３３をスムーズに案内することができる。
【００４８】
ガイドピン１３３の先端には、ガイドピン１３３がガイド１３７の第１ガイド溝１３７ａ、第２ガイド溝１３７ｂ、およびガイド穴１３７ｃから抜けるのを防止するために上部フランジ１３４が固定されている。つまり、ガイド板１３６は下部フランジ１３２と上部フランジ１３４とに挟まれていることになるが、ガイドピン１３３がガイド１３７に沿って移動するのを妨げない程度に隙間が空いている。このようなフランジ（特に上部フランジ１３４）により、変位機構は簡易かつ丈夫な構造となっている。
【００４９】
ガイド板１３６と固定板１３１との間にはテンションバネ１３５が設けられている。このテンションバネ１３５はねじりコイルバネとなっていて両端が広がる方向のテンション（付勢力）を生む。テンションバネ１３５の一端はガイド板１３６に固定され他端は固定板１３１に固定されている。そして、このテンションバネ１３５が生んだテンションはガイド板１３６および固定板１３１を介して上側筐体１１０および下側筐体１２０に伝わる。その結果テンションバネ１３５は上側筐体１１０および下側筐体１２０を相対的に付勢している。
【００５０】
なお、ここの例ではテンションバネ１３５としてねじりコイルバネが採用されているが、圧縮コイルバネや圧縮ゴムなどといった他の付勢手段をテンションバネ１３５に替えて採用することもできる。
【００５１】
本実施形態では、下は固定板１３１から上は上部フランジ１３４までがモジュール化されている。そして、このモジュール化された部分が上側筐体１１０および下側筐体１２０に取り付けられることで携帯電話機１００が容易に組み立てられる。なお、そのようなモジュール化を採用せずに、ガイド板１３６および固定板１３１が上側筐体１１０および下側筐体１２０と一体に形成された構造を採用することもできる。
【００５２】
以上説明した変位機構による変位動作について以下詳細に説明する。なお、以下の説明で参照する図では、説明の便宜上、上側筐体１１０の表示画面１１１等を取り除いて機構部が見える状態での図示となっている。また、変位動作による上側筐体１１０と下側筐体１２０との移動は相対的な移動であるが、説明の便宜上、下側筐体１２０が固定で上側筐体１１０が移動するものとして説明する。但し、ガイドピン１３３とガイド１３７については、逆に、ガイド１３７に対してガイドピン１３３が移動するものとして説明する。
【００５３】
図７は、閉じ状態から第１の開き状態への変位動作を説明する図である。
【００５４】
図７には、図３と同様に、左側に閉じ状態が示されていると共に、右側に第１の開き状態が示されている。閉じ状態では、ガイドピン１３３は、第１ガイド溝１３７ａと第２ガイド溝１３７ｂとが繋がった交点に位置している。この時、ガイドピン１３３は、互いに直交する２辺で、第１ガイド溝１３７ａおよび第２ガイド溝１３７ｂに接している。また、テンションバネ１３５は、下側筐体１２０側に固定された第１バネ端１３５ａと、上側筐体１１０側に固定された第２バネ端１３５ｂとを押し広げる。その結果、上側筐体１１０は下側筐体１２０およびガイドピン１３３に対し、左向きかつ後向き（図７の左下方向）に付勢される。そのような付勢により、ガイドピン１３３の上述した２辺は第１ガイド溝１３７ａおよび第２ガイド溝１３７ｂに押し付けられる。その結果、上側筐体１１０と下側筐体１２０との相互位置が付勢力で保持されることとなる。上述したように上側筐体１１０および下側筐体１２０は互いに同等な長さと互いに同等な幅とを有している。そして、ガイドピン１３３が上記交点に位置している場合に上側筐体１１０および下側筐体１２０は長さ方向と幅方向とに互いの位置が揃う。従って、ガイドピン１３３が上記交点に位置している閉じ状態では携帯電話機１００全体としての縦横寸法は最小となる。また、後述するように、この閉じ状態を起点として縦方向および横方向のそれぞれに、第１ガイド溝１３７ａと第２ガイド溝１３７ｂとを最大限に利用した変位が可能となる。
【００５５】
閉じ状態から上側筐体１１０に横方向の右向きの力が加えられると上側筐体１１０は右向きにスライド移動する。このときガイドピン１３３は第２ガイド溝１３７ｂに案内されて横方向の左向きに平行移動する。この結果、テンションバネ１３５の第１バネ端１３５ａと第２バネ端１３５ｂとの距離は縮められることになる。つまり、閉じ状態からの変位開始時にはテンションバネ１３５の付勢力に打ち勝つ力が必要である。閉じ状態からの変位の結果、ガイドピン１３３が第２ガイド溝１３７ｂの概ね１／２まで到達すると、テンションバネ１３５の第１バネ端１３５ａと第２バネ端１３５ｂとの距離は最小となる。その後はテンションバネ１３５の付勢力は、ガイドピン１３３を第２ガイド溝１３７ｂに沿って更に移動させる方向に働く。つまり、閉じ状態から上側筐体１１０がユーザの力である程度変位させられると、その後はテンションバネ１３５の付勢力で第１の開き状態まで変位することとなる。テンションバネ１３５の付勢力は、この第１の開き状態では、上側筐体１１０を下側筐体１２０およびガイドピン１３３に対し、右向きかつ後向き（図７の右下方向）に付勢する。このため、テンションバネ１３５の付勢力によってガイドピン１３３が第２ガイド溝１３７ｂの左端に押し付けられて第１の開き状態が保持されることとなる。
【００５６】
以上説明したテンションバネ１３５の働きは、閉じ状態でテンションバネ１３５の第１バネ端１３５ａが第２バネ端１３５ｂに対して右側に第２ガイド溝１３７ｂの概ね１／２だけずれた位置に固定されているために生じる。
【００５７】
図８は、閉じ状態から第２の開き状態への変位動作を説明する図である。
【００５８】
図８には、図４と同様に、左側に閉じ状態が示されていると共に、右側に第２の開き状態が示されている。上述したように、閉じ状態では、ガイドピン１３３は、第１ガイド溝１３７ａと第２ガイド溝１３７ｂとが繋がった交点に位置している。
【００５９】
閉じ状態から上側筐体１１０に縦方向の前向き（図８の上向き）の力が加えられると上側筐体１１０は前向きにスライド移動する。このときガイドピン１３３は第１ガイド溝１３７ａに案内されて縦方向の後ろ向きに平行移動する。この結果、テンションバネ１３５の第１バネ端１３５ａと第２バネ端１３５ｂとの距離は縮められることになる。つまり、ここでも、閉じ状態からの変位開始時にはテンションバネ１３５の付勢力に打ち勝つ力が必要である。閉じ状態からの変位の結果、ガイドピン１３３が第１ガイド溝１３７ａの概ね１／２まで到達すると、テンションバネ１３５の第１バネ端１３５ａと第２バネ端１３５ｂとの距離は最小となる。その後はテンションバネ１３５の付勢力は、ガイドピン１３３を第１ガイド溝１３７ａに沿って更に移動させる方向に働く。つまり、閉じ状態から上側筐体１１０がユーザの力である程度変位させられると、その後はテンションバネ１３５の付勢力で第２の開き状態まで変位することとなる。テンションバネ１３５の付勢力は、この第２の開き状態では、上側筐体１１０を下側筐体１２０およびガイドピン１３３に対し、左向きかつ前向き（図８の左上方向）に付勢する。このため、テンションバネ１３５の付勢力によってガイドピン１３３が第１ガイド溝１３７ａの後端に繋がったガイド穴１３７ｃに押し付けられる。上述したようにガイド穴１３７ｃは、ガイドピン１３３の断面形状の長方形における対角方向の長さ（対角長）がちょうど収まる直径を有している。そして、このガイド穴１３７ｃは、ガイドピン１３３の回転を案内するものである。本実施形態ではテンションバネ１３５の付勢力は、上側筐体１１０を下側筐体１２０に対し、ガイドピン１３３を中心として右回りに回転させる方向に付勢する。しかし、このような付勢によって上側筐体１１０が回転移動しないように、上側筐体１１０内のガイド穴１３７ｃの横にはストッパ１１４が設けられている。このストッパ１１４に上部フランジ１３４の第１の角１３４ａが当たることで上側筐体１１０の回転が止められている。このような構造により、テンションバネ１３５の付勢力によって第２の開き状態が保持されることとなる。
【００６０】
図８を参照して説明したテンションバネ１３５の働きは、閉じ状態でテンションバネ１３５の第１バネ端１３５ａが第２バネ端１３５ｂに対して前側（図８の上側）に第１ガイド溝１３７ａの概ね１／２だけずれた位置に固定されているために生じる。
【００６１】
図７，８で説明したテンションバネ１３５の働きは、即ち、上側筐体１１０と下側筐体１２０とを相対的に付勢することでガイドピン１３３を第１ガイド溝１３７ａおよび第２ガイド溝１３７ｂそれぞれの途中位置から端へと移動させる付勢部材の働きである。このような付勢部材が備えられていることで、閉じ状態、第１の開き状態、および第２の開き状態それぞれが付勢力で保持される。また、それら３つの状態のうちの１つの状態から別の１つの状態への変位も付勢力によってアシストされる。
【００６２】
図９は、第２の開き状態から第３の開き状態への変位動作を説明する図である。
【００６３】
図９には、図５と同様に、左端に第２の開き状態、右端に第３の開き状態、そして中間に第２の開き状態から第３の開き状態に至る途中の状態が示されている。
【００６４】
上述したように、第２の開き状態では、ガイドピン１３３は第１ガイド溝１３７ａの後端に繋がったガイド穴１３７ｃに押し付けられている。第２の開き状態から上側筐体１１０に左回転の力が加えられると上側筐体１１０は左回りに回転移動する。このときガイドピン１３３はガイド穴１３７ｃに案内されて右回りに回転移動する。この結果、テンションバネ１３５の第１バネ端１３５ａと第２バネ端１３５ｂとの距離は縮められることになる。つまり、第２の開き状態からの変位開始時にも、テンションバネ１３５の付勢力に打ち勝つ力が必要である。第２の開き状態からの変位の結果、ガイドピン１３３がガイド穴１３７ｃに沿って９０度回転すると第３の開き状態に達する。上部フランジ１３４の第２の角１３４ｂは、この第３の開き状態でストッパ１１４に当たっている。これにより、第３の開き状態から更に上側筐体１１０が左回りに回転移動することが防がれている。テンションバネ１３５の第１バネ端１３５ａと第２バネ端１３５ｂとの距離は第２の開き状態から第３の開き状態に達する前の途中位置で最小となる。その後はテンションバネ１３５の付勢力は、ガイドピン１３３をガイド穴１３７ｃに沿って更に回転移動させる方向に働く。つまり、第２の開き状態から上側筐体１１０がユーザの力である程度変位させられると、その後はテンションバネ１３５の付勢力で第３の開き状態まで変位することとなる。テンションバネ１３５の付勢力は、この第３の開き状態では、上側筐体１１０を下側筐体１２０に対し、ガイドピン１３３を中心に左回りに回転させる方向に付勢する。このため、テンションバネ１３５の付勢力によって上部フランジ１３４の第２の角１３４ｂはストッパ１１４に押し付けられる。この結果、テンションバネ１３５の付勢力によって第３の開き状態が保持されることとなる。
【００６５】
図９を参照して説明したテンションバネ１３５の働きは、第２の開き状態でテンションバネ１３５の第１バネ端１３５ａが第２バネ端１３５ｂに対し、ガイドピン１３３を中心として左回りに鋭角にずれている位置に固定されているために生じる。なお、このずれの角度が概ね４５度であると、第２の開き状態と第３の開き状態とのほぼ中間で付勢方向が反転することとなる。
【００６６】
図９で説明したテンションバネ１３５の働きは、即ち、上側筐体１１０と下側筐体１２０とを相対的に付勢することでガイドピン１３３を、ガイド穴１３７ｃに案内される回転の途中位置から回転端へと移動させる付勢部材の働きである。このような付勢部材が備えられていることで、第２の開き状態および第３の開き状態それぞれが付勢力で保持される。また、それら２つの状態のうちの一方から他方への変位も付勢力によってアシストされる。
【００６７】
このような変位機構により、本実施形態の携帯電話機１００は、高い変位性を有している。その結果、携帯電話機１００が有する各種の機能それぞれに適した変位状態を実現することができる。つまり、本実施形態の携帯電話機１００は各種機能の使い勝手がよい。
【００６８】
ところで、本実施形態では、第２の開き状態における上側筐体１１０および下側筐体１２０の相互位置と、第３の開き状態における上側筐体１１０および下側筐体１２０の相互位置とが、以下説明する関係となっている。
【００６９】
図１０は、第２の開き状態と第３の開き状態における上側筐体１１０および下側筐体１２０の相互位置を表す図である。
【００７０】
図１０の左には第２の開き状態が示されていて右には第３の開き状態が示されている。
【００７１】
第２の開き状態と第３の開き状態とで、上側筐体１１０から下側筐体１２０が後ろ側（図１０の下側）にはみ出した長さが等しくなっている。このような相互位置は、携帯電話機１００の操作性から望ましい相互位置である。また、第３の開き状態では、上側筐体１１０が下側筐体１２０から左右それぞれにはみ出した長さＡ，Ｂが互いに等しくなっている。このような相互位置は、携帯電話機１００を持つときのバランスから望ましい相互位置である。これら２つの相互位置をいずれも満足させるためには、第２の開き状態から第３の開き状態への回転移動における回転中心が特定位置に存在する必要がある。
【００７２】
その特定位置は、第３の開き状態では上側筐体１１０の右後ろに位置するポイントＰ１が、第２の開き状態では、第３の開き状態における上側筐体１１０と下側筐体１２０との交点となっているポイントＰ２に重なるという条件から一意に求められる。即ち、第３の開き状態におけるポイントＰ１から左前方４５°に延びる線と、ポイントＰ２から右前方４５°に延びる線との交点がその特定位置である。そして、ガイド穴１３７ｃおよびガイドピン１３３はその特定位置が中心となるように設けられている。
【００７３】
次に、上側筐体１１０内の電子部品と下側筐体１２０内の電子部品とを電気的に繋ぐケーブルについて説明する。
【００７４】
図１１は、上側筐体１１０内の電子部品とケーブルを示した図である。また、図１２は、下側筐体１２０内の電子部品とケーブルを示した図である。なお、図１１では、図示の便宜上、上述した遮蔽板１１２は省略されている。また、図１２には、下側筐体１２０の内部を、操作部が設けられている上面の裏側から見た状態が示されている。
【００７５】
図１１に示す基板１１３は、上述したように、上側筐体１１０が有する表示画面１１１の表示処理などを担っている。また、図１２に示す基板１２３は、下側筐体１２０が有する第１操作部１２１および第２操作部１２２を介した情報入力の処理などを担っている。図１１および図１２には、各基板１１３，１２３に、各コネクタ１１５，１２４を介して電気的かつ物理的に接続されたケーブル１３８が示されている。ケーブル１３８は、上側筐体１１０の基板１１３のコネクタ１１５の近くで、遮蔽板１１２のケーブル穴１１２ａ（図６参照）を通っている。また、このケーブル１３８は、上側筐体１１０から下側筐体１２０まで貫通した貫通孔１３９内を通っている。この貫通孔１３９は、上述した変位機構の固定板１３１、下部フランジ１３２、ガイドピン１３３、および上部フランジ１３４を貫通している。そして、貫通孔１３９が貫通している位置は、ガイドピン１３３および各フランジの中央部である。このような貫通孔１３９をケーブル１３８が通っていることにより、以下説明するように、上側筐体１１０と下側筐体１２０との相対的な変位に伴うケーブル１３８への物理的負荷は小さい。
【００７６】
図１３は、上側筐体１１０と下側筐体１２０との相対的な変位に伴うケーブル１３８への物理的負荷を説明する図である。
【００７７】
図１３には、上記説明した、閉じ状態、第１の開き状態、第２の開き状態、および第３の開き状態という４つの状態が示されている。これら４つの状態それぞれに携帯電話機１００が変位した場合であっても、図１３に示すように、ケーブル１３８は変位に十分に追随することができる。このように、ガイドピン１３３等を貫通した貫通孔１３９をケーブル１３８が通っていることで、変位に伴うケーブル１３８への物理的負荷は小さくなっている。このため、ケーブル１３８による接続の信頼性は高いので、携帯電話機１００の耐久性も高い。
【００７８】
以上説明した実施形態とはガイドの構造やガイドピンの固定箇所が異なる別実施形態について以下説明する。この別実施形態は、ガイドの構造やガイドピンの固定箇所を除く他の要素については上述した実施形態が有する要素と同様の要素を備えた実施形態であるので、以下では重複説明は省略してガイドの構造やガイドピンに着目した説明を行う。
【００７９】
図１４は、別実施形態におけるガイド構造等を示す図である。
【００８０】
図１４に示す別実施形態の携帯電話機２００も、上側筐体２１０は下側筐体１２０に対し、上述した閉じ状態、第２の開き状態、および第３の開き状態に相当する各状態に変位することができるので、この別実施形態の説明でも同じ状態名を用いて説明する。即ち、図１４の左端には第３の開き状態が示されている。また図１４の央部下方には閉じ状態、央部上方には第２の開き状態がそれぞれ示されている。更に、図１４の右端には、図６に示す実施形態では生じない新たな第４の開き状態が示されている。そして、閉じ状態と第３の開き状態との間には中間的な状態が示されている。この中間的な状態も、図６に示す実施形態では生じない状態である。
【００８１】
図１４に示す別実施形態でもガイドピン２０１の形状は図６に示す実施形態のガイドピン１３３の形状と同様であるが、別実施形態での下側筐体１２０に対するガイドピン２０１の固定位置は、図６に示す実施形態での固定位置とは異なっている。また、別実施形態のガイド２０２は、図６に示す実施形態のガイド１３７と同様に、ガイド穴２０２ｃと第１ガイド溝２０２ａと第２ガイド溝２０２ｂとがこの順で連通したものである。各ガイド溝が延びた方向や、ガイド溝やガイド穴の寸法なども、図１４に示す別実施形態と図６に示す実施形態とで同様となっている。しかし、図６に示す実施形態のガイド１３７がＬ字形状のものであるのに対して別実施形態のガイド２０２は逆Ｌ字形状のものとなっている。即ち、第１ガイド溝２０２ａは、第２ガイド溝２０２ｂとの交点から縦方向の前方へと延びている。また、ガイド穴２０２ｃは第１ガイド溝２０２ａの前端側（図１４の上側）に位置している。
【００８２】
このような構造の違いにより、図１４に示す別実施形態の場合は、閉じ状態でガイドピン２０１が、第１ガイド溝２０２ａの前端に繋がったガイド穴２０２ｃに押し付けられている。つまりこの別実施形態では、上側筐体２１０と下側筐体１２０は、ガイドピン２０１が第１ガイド溝２０２ａに案内されてガイド穴２０２ｃに達した場合に、長さ方向と幅方向とに互いの位置が揃う。このため別実施形態の場合は、上述した第４の開き状態が実現できる。
【００８３】
ガイド穴２０２ｃは、ガイドピン２０１の回転を案内するものである。また、図１４に示す別実施形態ではテンションバネ２０３の付勢力は、上側筐体２１０を下側筐体１２０に対し、ガイドピン２０１を中心として左回りに回転させる方向に付勢する。しかし、このような付勢によって上側筐体２１０が回転移動しないように、上側筐体２１０内のガイド穴２０２ｃの横にはストッパ２０４が設けられている。このような構造により、テンションバネ２０３の付勢力によって閉じ状態が保持されることとなる。
【００８４】
閉じ状態から上側筐体２１０に縦方向の前向き（図１４の上向き）の力が加えられると上側筐体２１０は前向きにスライド移動する。このときガイドピン２０１は第１ガイド溝２０２ａに案内されて縦方向の後ろ向きに平行移動する。この結果、テンションバネ２０３の第１バネ端２０３ａと第２バネ端２０３ｂとの距離は縮められることになる。つまり、閉じ状態からの変位開始時にはテンションバネ２０３の付勢力に打ち勝つ力が必要である。閉じ状態からの変位の結果、ガイドピン２０１が第１ガイド溝２０２ａの概ね１／２まで到達すると、テンションバネ２０３の第１バネ端２０３ａと第２バネ端２０３ｂとの距離は最小となる。その後はテンションバネ２０３の付勢力は、ガイドピン２０１を第１ガイド溝２０２ａに沿って更に移動させる方向に働く。つまり、この別実施形態でも、閉じ状態から上側筐体２１０がユーザの力である程度変位させられると、その後はテンションバネ２０３の付勢力で第２の開き状態まで変位することとなる。テンションバネ２０３の付勢力は、この第２の開き状態では、上側筐体２１０を下側筐体１２０およびガイドピン２０１に対し、左向きかつ前向き（図１４の左上方向）に付勢する。このため、テンションバネ２０３の付勢力によってガイドピン２０１は、第１ガイド溝２０２ａと第２ガイド溝２０２ｂとが繋がった交点に保持される。そして、ガイドピン２０１の互いに直交する２辺はその付勢力で第１ガイド溝２０２ａおよび第２ガイド溝２０２ｂに押し付けられる。その結果、テンションバネ２０３の付勢力は第２の開き状態を保持することとなる。
【００８５】
閉じ状態から第２の開き状態に至るまでのテンションバネ２０３の働きは、閉じ状態でテンションバネ２０３の第１バネ端２０３ａが第２バネ端２０３ｂに対して後側（図１４の下側）に第１ガイド溝２０２ａの概ね１／２だけずれた位置に固定されているために生じる。
【００８６】
第２の開き状態から上側筐体２１０に横方向の右向きの力が加えられると上側筐体２１０は右向きにスライド移動する。このときガイドピン２０１は第２ガイド溝２０２ｂに案内されて横方向の左向きに平行移動する。この結果、テンションバネ２０３の第１バネ端２０３ａと第２バネ端２０３ｂとの距離は縮められることになる。つまり、第２の開き状態からの変位開始時にもテンションバネ２０３の付勢力に打ち勝つ力が必要である。第２の開き状態からの変位の結果、ガイドピン２０１が第２ガイド溝２０２ｂの概ね１／２まで到達すると、テンションバネ２０３の第１バネ端２０３ａと第２バネ端２０３ｂとの距離は最小となる。その後はテンションバネ２０３の付勢力は、ガイドピン２０１を第２ガイド溝２０２ｂに沿って更に移動させる方向に働く。つまり、第２の開き状態から上側筐体２１０がユーザの力である程度変位させられると、その後はテンションバネ２０３の付勢力で第４の開き状態まで変位することとなる。テンションバネ２０３の付勢力は、この第４の開き状態では、上側筐体２１０を下側筐体１２０およびガイドピン２０１に対し、右向きかつ前向き（図１４の右上方向）に付勢する。このため、テンションバネ２０３の付勢力によってガイドピン２０１が第２ガイド溝２０２ｂの左端に押し付けられて第４の開き状態が保持されることとなる。
【００８７】
この第４の開き状態では、下側筐体１２０に設けられている第１操作部１２１および第２操作部１２２の双方の全体が露わになっている。このため第４の開き状態では、パーソナルコンピュータにおけるキーボードおよびテンキーの操作に近い操作を行うことができる。つまり、第４の開き状態は、複雑なキー操作を伴うような機能にも対応可能な状態である。
【００８８】
第２の開き状態から第４の開き状態に至るまでのテンションバネ２０３の働きは第２の開き状態でテンションバネ２０３の第１バネ端２０３ａが第２バネ端２０３ｂに対して左側に第２ガイド溝２０２ｂの概ね１／２だけずれた位置に固定されているために生じる。
【００８９】
ここまで説明したテンションバネ２０３の働きも、即ち、上側筐体２１０と下側筐体１２０とを相対的に付勢することでガイドピン２０１を第１ガイド溝２０２ａおよび第２ガイド溝２０２ｂそれぞれの途中位置から端へと移動させる付勢部材の働きである。このような付勢部材が備えられていることで、閉じ状態、第２の開き状態、および第４の開き状態それぞれが付勢力で保持される。また、それら３つの状態のうちの１つの状態から別の１つの状態への変位も付勢力によってアシストされる。
【００９０】
ところで、上述した閉じ状態から上側筐体２１０に右回転の力が加えられると上側筐体２１０は右回りに回転移動する。このときガイドピン２０１はガイド穴２０２ｃに案内されて左回りに回転移動する。この結果、テンションバネ２０３の第１バネ端２０３ａと第２バネ端２０３ｂとの距離は縮められることになる。つまり、ここでも、閉じ状態からの変位開始時には、テンションバネ２０３の付勢力に打ち勝つ力が必要である。閉じ状態からの回転変位の結果、ガイドピン２０１がガイド穴２０２ｃに沿って９０度回転すると第３の開き状態に達する。ストッパ２０４は、第３の開き状態から更に上側筐体２１０が右回りに回転移動することを防いでいる。テンションバネ２０３の第１バネ端２０３ａと第２バネ端２０３ｂとの距離は閉じ状態から第３の開き状態に至る概ね中間で最小となる。その後はテンションバネ２０３の付勢力は、ガイドピン２０１をガイド穴２０２ｃに沿って更に回転移動させる方向に働く。つまり、閉じ状態から上側筐体２１０がユーザの力である程度回転させられると、その後はテンションバネ２０３の付勢力で第３の開き状態まで変位することとなる。テンションバネ２０３の付勢力は、この第３の開き状態では、上側筐体２１０を下側筐体１２０に対し、ガイドピン２０１を中心に右回りに回転させる方向に付勢する。このため、テンションバネ２０３の付勢力によって上部フランジはストッパ２０４に押し付けられる。この結果、テンションバネ２０３の付勢力によって第３の開き状態が保持されることとなる。
【００９１】
閉じ状態から第３の開き状態に至るまでのテンションバネ２０３の働きは、閉じ状態でテンションバネ２０３の第１バネ端２０３ａが第２バネ端２０３ｂに対し、ガイドピン２０１を中心として左回りに概ね４５度ずれた位置に固定されているために生じる。
【００９２】
閉じ状態から第３の開き状態に至るまでのテンションバネ１３５の働きは、即ち、上側筐体２１０と下側筐体１２０とを相対的に付勢することでガイドピン２０１を、ガイド穴２０２ｃに案内される回転の途中位置から回転端へと移動させる付勢部材の働きである。このような付勢部材が備えられていることで、閉じ状態および第３の開き状態それぞれが付勢力で保持される。また、それら２つの状態のうちの一方から他方への変位も付勢力によってアシストされる。
【００９３】
以上説明したように、別実施形態の携帯電話機２００も、高い変位性を有している。その結果、携帯電話機２００が有する各種の機能それぞれに適した変位状態を実現することができる。つまり、この別実施形態の携帯電話機２００も各種機能の使い勝手がよい。
【００９４】
この別実施形態でも、第２の開き状態における上側筐体２１０および下側筐体１２０の相互位置と、第３の開き状態における上側筐体２１０および下側筐体１２０の相互位置とは、図１０で説明した関係と同様な関係になっている。但し、その関係を実現するためのガイド穴２０２ｃやガイドピン２０１などの位置については図１０で説明した特定位置とは異なる位置になる。
【００９５】
図１５は、別実施形態における、第２の開き状態と第３の開き状態における上側筐体２１０および下側筐体１２０の相互位置を表す図である。
【００９６】
図１５の左には第２の開き状態が示されていて右には第３の開き状態が示されている。
【００９７】
第２の開き状態と第３の開き状態とで、上側筐体２１０から下側筐体１２０が後ろ側（図１５の下側）にはみ出した長さが等しくなっている。このような第１の相互位置は、携帯電話機２００の操作性から望ましい相互位置である。また、第３の開き状態では、上側筐体２１０が下側筐体１２０から左右それぞれにはみ出した長さＡ，Ｂが互いに等しくなっている。このような第２の相互位置は、携帯電話機２００を持つときのバランスから望ましい相互位置である。
【００９８】
この別実施形態の場合には、上記第２の相互位置を満足させるためには、閉じ状態から第３の開き状態への回転移動における回転中心が以下説明する位置に存在すればよい。
【００９９】
この別実施形態の場合にも、回転中心の位置を決めるために２つのポイントＰ３，Ｐ４を基準とする。１つめのポイントＰ３は、第３の開き状態における上側筐体２１０の左端の延長線と下側筐体１２０の後端の延長線との交点である。また、２つめのポイントＰ４は、第３の開き状態における上側筐体２１０と下側筐体１２０との交点である。回転中心は、ポイントＰ３から右前方４５°に延びる線とポイントＰ４から左前方４５°に延びる線との交点に存在すればよい。この回転中心の位置が、即ちガイド穴２０２ｃおよびガイドピン２０１の中心位置である。
【０１００】
一方、第２の開き状態で上側筐体２１０から下側筐体１２０が後ろ側にはみ出す長さは第１ガイド溝２０２ａの長さで決まる。このため、この別実施形態では、第１ガイド溝２０２ａの長さは、第３の開き状態で上側筐体２１０から下側筐体１２０が後ろ側（図１５の下側）にはみ出した長さに依存した、上記第１の相互位置を満たす長さとなっている。
【０１０１】
以下、上述した形態を含む種々の形態に関し、更に以下の付記を開示する。
【０１０２】
（付記１）
ピンが固定された第１筐体と、
第１筐体に対向した対向面に、前記ピンが嵌る穴と第１溝と第２溝とがこの順で互いに繋がって設けられた第２筐体とを備え、
該第１溝は該ピンを該対向面に沿った第１方向に案内するものであり、該第２溝は該ピンを、該対向面に沿った、該第１方向とは異なる第２方向に案内するものであり、、該穴は、該ピンの回転を案内するものであり、前記ピンの前記対向面に平行な断面の最大外形寸法は、前記第１溝の幅及び前記第２溝の幅より大きいことを特徴とする筐体機構。
【０１０３】
（付記２）
前記ピンが、略四角柱の形状を有し、前記第１及び第２の溝幅より大きく、前記穴内に収まる対角長を有するものであることを特徴とする付記１記載の筐体機構。
【０１０４】
（付記３）
前記ピンの先に設けられ、前記第１溝、前記第２溝、および前記穴からの該ピンの抜けを防ぐフランジを備えたことを特徴とする付記１または２記載の筐体機構。
【０１０５】
（付記４）
前記第１筐体と前記第２筐体の双方が、内部に電子部品を収納するものであり、
前記ピンが、前記第１筐体から前記第２筐体まで貫通した、該第１筐体内の電子部品と該第２筐体内の電子部品とを電気的に接続する接続配線を通す貫通穴が空いたものであることを特徴とする付記１から３のうちいずれか１項記載の筐体機構。
【０１０６】
（付記５）
前記第１筐体と前記第２筐体は、双方が、長さより狭い幅と、幅より狭い厚さとを有し、互いに、厚さ方向に重なり合ったものであることを特徴とする付記１から４のうちいずれか１項記載の筐体機構。
【０１０７】
（付記６）
前記第１溝は、前記ピンを前記第２筐体の長さ方向に案内する溝であり、
前記第２溝は、前記ピンを前記第２筐体の幅方向に案内する溝であることを特徴とする付記５記載の筐体機構。
【０１０８】
（付記７）
前記第１筐体と前記第２筐体は、互いに同等な長さと互いに同等な幅とを有し、前記ピンが前記第１溝と前記第２溝とが繋がった箇所にある場合に、長さ方向と幅方向とに互いの位置が揃うものであることを特徴とする付記６記載の筐体機構。
【０１０９】
（付記８）
前記穴は、前記ピンが前記第１溝に案内されて該穴に達した第１の位置と、該第１の位置から該ピンが９０度回転した第２の位置とで、前記第２筐体から前記第１筐体が長さ方向にはみ出した長さが互いに同等になるとともに、該第２の位置では、該第１筐体から該第２筐体が幅方向にはみ出した長さが左右それぞれで同等になる箇所に設けられたものであることを特徴とする付記７記載の筐体機構。
【０１１０】
（付記９）
前記第１筐体と前記第２筐体は、互いに同等な長さと互いに同等な幅とを有し、前記ピンが前記第１溝に案内されて前記穴に達した場合に、長さ方向と幅方向とに互いの位置が揃うものであることを特徴とする付記６記載の筐体機構。
【０１１１】
（付記１０）
前記穴は、前記ピンが前記第１溝に案内されて該穴に達した第３の位置から更に該ピンが９０度回転した第４の位置で、前記第１筐体から前記第２筐体が幅方向にはみ出した長さが左右それぞれで等しくなる箇所に設けられたものであり、
前記第１溝が、前記第３の位置と前記第４の位置とで、前記第２筐体から前記第１筐体が長さ方向にはみ出した長さが互いに等しくなる溝長を有するものであることを特徴とする付記９記載の筐体機構。
【０１１２】
（付記１１）
前記第１筐体は、操作を受ける操作子が前記第２筐体側の表面に配設されたものであることを特徴とする付記１から１０のうちいずれか１項記載の筐体機構。
【０１１３】
（付記１２）
前記第２筐体は、表示画面が、前記対向面とは逆の面に設けられたものであることを特徴とする付記１から１１のうちいずれか１項記載の筐体機構。
【０１１４】
（付記１３）
前記第１筐体と前記第２筐体とを相対的に付勢することで前記ピンを前記第１溝および前記第２溝それぞれの途中位置から端へと移動させる付勢部材を備えたことを特徴とする付記１から１２のうちいずれか１項記載の筐体機構。
【０１１５】
（付記１４）
前記第１筐体と前記第２筐体とを相対的に付勢することで前記ピンを、前記穴に案内される回転の途中位置から回転端へと移動させる付勢部材を備えたことを特徴とする付記１から１３のうちいずれか１項記載の筐体機構。
【符号の説明】
【０１１６】
１００，２００    携帯電話機
１１０，２１０    上側筐体
１１１    表示画面
１１２    遮蔽板
１１２ａ    ケーブル穴
１１３，１２３    基板
１１４，２０４    ストッパ
１１５，１２４    コネクタ
１２０    下側筐体
１２１    第１操作部
１２２    第２操作部
１２５    固定部
１３１    固定板
１３２    下部フランジ
１３３，２０１    ガイドピン
１３４    上部フランジ
１３４ａ    第１の角
１３４ｂ    第２の角
１３５，２０３    テンションバネ
１３５ａ，２０３ａ    第１バネ端
１３５ｂ，２０３ｂ    第２バネ端
１３６    ガイド板
１３７，２０２    ガイド
１３７ａ，２０２ａ    第１ガイド溝
１３７ｂ，２０２ｂ    第２ガイド溝
１３７ｃ，２０２ｃ    ガイド穴
１３８    ケーブル
１３９    貫通孔
【図１】
0005636873.tif 000002
【図２】
0005636873.tif 000003
【図３】
0005636873.tif 000004
【図４】
0005636873.tif 000005
【図５】
0005636873.tif 000006
【図６】
0005636873.tif 000007
【図７】
0005636873.tif 000008
【図８】
0005636873.tif 000009
【図９】
0005636873.tif 000010
【図１０】
0005636873.tif 000011
【図１１】
0005636873.tif 000012
【図１２】
0005636873.tif 000013
【図１３】
0005636873.tif 000014
【図１４】
0005636873.tif 000015
【図１５】
0005636873.tif 000016